(57)【要約】【課題】説明者、視聴者全員に端末を配布し、説明者端末を親機に、視聴者端末を前記親機に接続する子機として無線ＬＡＮ接続する構成とするプレゼンテーションシステムで、子機端末から親機端末に質疑応答の通信をおこなうのに好適なプロゼンテーションシステムを提供する。【解決手段】説明者の親機端末と複数の視聴者の子機端末に加え、子機端末を複数含むグループに分割し、さらに、グループ内の子機の中に子機リーダ機を設けた。この構成により、プレゼンテーションの内容を容易且つ正確に知ることが出来たり、聴講者からの説明者に対する質問を、聴講者が使用する子機リーダ機を介して説明者が使用する親機へデータとしてサーバまたはインターネットを使用し無線ＬＡＮで送信出来ることにした。【選択図】  図１
2004304391.tif 000002
【特許請求の範囲】
【請求項１】
説明者の親機端末と複数の聴講者の子機端末とが無線ＬＡＮで接続されるプレゼンテーションシステムであって、
前記聴講者の子機端末は複数の端末を含むグループに分割され、
前記グループごとにグループ内の子機端末と無線通信をおこなう子機リーダ端末を備え、前記子機端末から親機端末への質問のための通信は、前記子機端末を介しておこなうことを特徴とするプレゼンテーションシステム。
【請求項２】
請求項１記載のプレゼンテーションシステムにおいて、
親機端末と子機リーダ端末との無線通信のチャネルと前記グループ内の子機リーダ端末と子機端末との無線通信のチャネルは異なることを特徴とするプレゼンテーションシステム。
【請求項３】
請求項１記載のプレゼンテーションシステムにおいて、
子機端末から親機端末への質問のための通信には、前記子機端末が属するグループの識別子を含むことを特徴とするプレゼンテーションシステム。
【発明の詳細な説明】
【０００１】
【発明の属する技術分野】
本発明は、プレゼンテーションシステムに係り、聴視者の端末にプレゼンテーション内容を表示するプレゼンテーションシステムに関する。
【０００２】
【従来の技術】
従来のプレゼンテーションシステムは、特許文献１に開示されているように、プロジェクタ等の大画面の画像表示装置を利用した方法が一般的であった。特許文献１ではこのようなシステムで、質疑に関する表示内容を質問者が設定できることを特徴にするものである。
【０００３】
上記方法以外のプレゼンテーションでは、情報処理装置にてスクリーンに表示するか数人に１台程度の割合でモニタを設置し、説明者の説明資料を見せていた。図５は従来のプレゼンテーションの一実施例であり、説明者Ｔ１が説明資料を情報処理装置ＰＪ１にて説明資料を入力し、有線で接続されたプロジェクタＰＪ２を介してスクリーンＳＣ１に投影しプレゼン内容を聴講者ＰＰ１、ＰＰ２，…、ＰＰ１８に見せて説明していた。
【０００４】
【特許文献１】
特開２００２−３５１４３４号公報
【０００５】
【発明が解決しようとする課題】
従来、プレゼンテーションでは情報処理装置にてスクリーンに表示するか数人に１台程度の割合でモニタを設置し説明者の説明資料を見せてプレゼンテーションを行っていた。聴講者はプレゼンテーションを聴講する上である程度の知識（レベル）を持ってプレゼンテーションに参加する事が前提条件となるが、実際には聴講者全員が説明者の求める知識（レベル）に達していない場合が多く聴講者の理解度が低かった。よって、プレゼンテーション内容についての質問が聴講者より出されるが口頭でのやり取りとなり、時間等の制約から説明者は聴講者の全ての質問に対し回答することが出来なかった。
【０００６】
また、個々の聴講者に無線により説明者の端末と接続する端末を配布するプレゼンテーションシステムであっても、プレゼン中はすべての聴講者端末には、おなじ内容が表示されており、視聴者端末は単なる表示装置にすぎなかった。
【０００７】
本発明は、上記問題を解決し、プレゼンテーションに好適な情報処理システムを提供することである。
【０００８】
【課題を解決するための手段】
上記問題を解決するために、本発明では、説明者、視聴者全員に端末を配布し、説明者端末を親機に、視聴者端末を前記親機に接続する子機として無線ＬＡＮ接続する構成とした。さらに、子機の中に子機リーダ機を設けた。この構成により、プレゼンテーションの内容を容易且つ正確に知ることが出来たり、聴講者からの説明者に対する質問を、聴講者が使用する子機リーダ機を介して説明者が使用する親機へデータとしてサーバまたはインターネットを使用し無線ＬＡＮで送信出来ることにした。
【０００９】
また、子機リーダ機に接続する複数の子機をひとつのグループとして、無線ＬＡＮのチャネルを共有し、子機リーダ機と親機を別のチャネルに接続するようにする。これにより、親機に接続する子機数を減らすことができ、親機のレスポンスの低下を防止することができる。
【００１０】
また、子機リーダ機にインターネットへの接続機能をもつことにより、親機から送信されるプレゼンテーション内容とは別の説明内容をインターネットから入手可能となり、視聴者のレベルに合わせ内容を補足することができる。
【００１１】
【発明の実施の形態】
図１に本発明による実施例を説明する。
図１は、本発明の一実施形態を示す図である。図１において１００は説明者が使用する親機、Ｐ１，Ｐ２，Ｐ３，Ｐ４，Ｐ５，Ｐ６，Ｐ７，Ｐ８，Ｐ９，Ｐ１０，Ｐ１１，Ｐ１２，Ｐ１３，Ｐ１４，Ｐ１５，Ｐ１６，Ｐ１７，Ｐ１８は聴講者が使用する子機である。子機Ｐ１，Ｐ２，Ｐ３，Ｐ４，Ｐ５，Ｐ６をグループＡ、子機Ｐ７，Ｐ８，Ｐ９，Ｐ１０，Ｐ１１，Ｐ１２をグループＢ、子機Ｐ１３，Ｐ１４，Ｐ１５，Ｐ１６，Ｐ１７，Ｐ１８をグループＣとグループ分けをし、それぞれのグループ内の子機間ではサーバまたはインターネットを使用し無線でデータの送受信が可能なように周波数を設定と、子機リーダ機Ｐ１，Ｐ７，Ｐ１３は各グループの子機リーダ機とし親機１００へサーバまたはインターネットを使用し無線でデータの送信が可能なように周波数を設定と、子機Ｐ１，Ｐ２，Ｐ３，Ｐ４，Ｐ５，Ｐ６，Ｐ７，Ｐ８，Ｐ９，Ｐ１０，Ｐ１１，Ｐ１２，Ｐ１３，Ｐ１４，Ｐ１５，Ｐ１６，Ｐ１７，Ｐ１８は親機１００からサーバまたはインターネットを使用し無線で送信されたデータを受信可能なように周波数の設定をプレゼンテーションの前に予め準備しておく。説明者は前記親機の前記データ入力部より説明資料内容を入力し、データを子機Ｐ１，Ｐ２，Ｐ３，Ｐ４，Ｐ５，Ｐ６，Ｐ７，Ｐ８，Ｐ９，Ｐ１０，Ｐ１１，Ｐ１２，Ｐ１３，Ｐ１４，Ｐ１５，Ｐ１６，Ｐ１７，Ｐ１８へサーバまたはインターネットを使用し無線で送信し、プレゼンテーションを行う。子機Ｐ３を使用する聴講者がプレゼンテーションの内容について質問がある場合は、子機Ｐ３の前記データ入力部より質問事項を入力し子機Ｐ３が属するグループＡの子機リーダ機Ｐ１へデータをサーバまたはインターネットを使用し無線にて送信する。子機Ｐ１を使用する聴講者は子機Ｐ３からの質問事項に対して前記データ入力部より受付番号を発番する。この時、受付番号が他の受付番号と重複しないように受付番号の先頭はグループＡのＡを固定文字としてその後に追い番を付加しＡ００１を発番する。子機Ｐ１は、子機Ｐ３へ受付番号をサーバまたはインターネットを使用し無線にて送信後、親機１００へ受付番号と質問内容をサーバまたはインターネットを使用し無線で送信する。説明者は、親機１００にて子機Ｐ１よりサーバまたはインターネットを使用し無線にて送信された受付番号付き質問に対し、前記データ入力部より回答を入力して子機Ｐ１，Ｐ２，Ｐ３，Ｐ４，Ｐ５，Ｐ６，Ｐ７，Ｐ８，Ｐ９，Ｐ１０，Ｐ１１，Ｐ１２，Ｐ１３，Ｐ１４，Ｐ１５，Ｐ１６，Ｐ１７，Ｐ１８へデータをサーバまたはインターネットを使用し無線で送信する。子機Ｐ３を使用する聴講者は親機１００からサーバまたはインターネットを使用し無線で送信されたデータの受付番号を見て自分の質問に対する回答かどうか識別できる。
【００１２】
次に本発明でプレゼンテーションの説明者が使用する親機について説明する。図２において、３０１は携帯型のデータ入出力用の親機の筐体、３０２はこの筐体３０１の上面に備えられたキーボードから成るデータ入力部、Ｌ１００はこの筐体３０１に備えられた液晶から成るデータ表示部、Ｓ１００は前記データ入力部３０２より入力されたデータを前記全子機へデータをサーバまたはインターネットを使用し無線にて送信する送信部、Ｓ１０１は前記子機リーダ機からの入力データをサーバまたはインターネットを使用し無線にて受信する受信部である。この送受信部Ｓ１００、Ｓ１０１は前記データ表示部Ｌ１００及び前記データ入力部３０２と電気的に接続されている。また、前記筐体３０１内には、所定の情報処理を行うＣＰＵ（中央処理装置）と、コンピュータプログラムやデータを記憶しておくためのハードディスク装置（外部記憶装置の１つ）と、通信用のモデム、及びプリンタ、スキャナなどの周辺機器を接続するためのコネクタ（ＵＳＢなど）などが内蔵されている。
【００１３】
次に本発明でプレゼンテーションの聴講者が使用する子機について説明する。図３において、４０１は携帯型のデータ入出力用の子機の筐体、Ｌ２０１はこの筐体４０１に備えられた液晶から成るデータ表示部、Ｔ２０１はこの液晶から成るデータ表示部Ｌ２０１の上面に備えられたタッチパネルから成るデータ入力部、ＪＳ２０１はこの子機が属するグループ内の他の子機が前記タッチパネルから成るデータ入力部から入力したデータをサーバまたはインターネットを使用し無線にて受信すると共に、この子機が属するグループのリーダ機へ前記タッチパネルから成るデータ入力部Ｔ２０１より入力されたデータをサーバまたはインターネットを使用し無線にて送信するための無線送受信部である。
【００１４】
次に本発明でプレゼンテーションの聴講者が使用する子機リーダ機について説明する。図４において、４０２は携帯型のデータ入出力用の子機リーダ機の筐体、Ｌ２０１はこの筐体４０１に備えられた液晶から成るデータ表示部、Ｔ２０１はこの液晶から成るデータ表示部Ｌ２０１の上面に備えられたタッチパネルから成るデータ入力部、ＪＳ２０１はこの子機リーダ機が属するグループの他の子機が前記タッチパネルから成るデータ入力部Ｔ２０１から入力したデータをサーバまたはインターネットを使用し無線にて送信したデータを受信する受信部、ＪＳ２０２は前記親機へサーバまたはインターネットを使用し無線にてデータを送信するための無線送信部である。
【００１５】
上記実施例によれば説明者が前記親機を、複数の聴講者全員が前記子機または前記子機リーダ機を一人一台使用することで全聴講者は、プレゼンテーションの内容を容易且つ正確に知ることが出来きる。また、聴講者からのプレゼンテーションの内容に対する質問を、聴講者が使用する前記子機リーダ機を介して説明者が使用する前記親機へデータとしてサーバまたはインターネットを使用し無線で送信出来、質問に対する回答を前記親機の前記データ入力部より説明者が入力し、全聴講者が使用する前記子機および前記子機リーダ機へデータをサーバまたはインターネットを使用し無線で送信出来ることにより、従来、口頭でやり取りをしていた質疑応答が携帯型の入出力用の前記親機、前記子機（子機リーダ機を介して）間で行えることで質疑応答の時間が短縮され、説明者は聴講者の全ての質問に対し回答することが可能となる。
【００１６】
また、グループごとにプレゼンテーション内容に対する知識（レベル）を合わせるように子機端末を配布するようにし、説明者の親機端末からプレゼンテーション内容を補足する資料をグループごとに変えて送信するようにしてもよい。この場合、親機端末からはプレゼンテーション内容と同様に補足資料を送信し、子機リーダ機で、当該グループで表示する内容かを判別し、グループのレベルにあった補足資料だった場合に、子機端末に配信するようにする。
【００１７】
【発明の効果】
本発明によれば、説明者の親機端末と聴講者の子機端末との間で、質疑応答や補足説明ができるので、プレゼンテーションを効率的におこなえる効果がある。
【図面の簡単な説明】
【図１】本発明の実施例のシステム概念図である。
【図２】親機の構成図である。
【図３】子機の構成図である。
【図４】子機リーダ機の構成図である。
【図５】従来のシステム構成図である。
【符号の説明】
１００：説明者が使用する親機、Ｐ１：子機グループＡのリーダ機、
Ｐ７：子機グループＢのリーダ機、
Ｐ１３：子機グループＣのリーダ機、
Ｐ２，Ｐ３，Ｐ４，Ｐ５，Ｐ６：グループＡ内の子機、
Ｐ１４，Ｐ１５，Ｐ１６，Ｐ１７，Ｐ１８：グループＣ内の子機、
【図１】
2004304391.tif 000003
【図２】
2004304391.tif 000004
【図３】
2004304391.tif 000005
【図４】
2004304391.tif 000006
【図５】
2004304391.tif 000007